(57)【要約】【課題】水槽の振動を吸収する防振装置の防振性能の向上を図った洗濯機を提供する。【解決手段】本実施形態に係る洗濯機は、筐体と、前記筐体内に設けられる水槽と、前記水槽の振動を吸収する防振装置と、ワッシャおよび弾性体を有し、前記防振装置の端部を前記水槽または前記筐体に固定する固定部と、を備え、前記ワッシャおよび前記弾性体は、前記弾性体が前記防振装置の軸方向に沿って窪む凹形状を有し、且つ、前記ワッシャが前記弾性体の凹形状に嵌り込む凹形状を有する構成、または、前記弾性体が前記防振装置の軸方向に沿って突出する凸形状を有し、且つ、前記ワッシャが前記弾性体の凸形状が嵌り込む凸形状を有する構成、である。【選択図】図２
2018143569.tif 000002
【特許請求の範囲】
【請求項１】
筐体と、
前記筐体内に設けられる水槽と、
前記水槽の振動を吸収する防振装置と、
ワッシャおよび弾性体を有し、前記防振装置の端部を前記水槽または前記筐体に固定する固定部と、
を備え、
前記ワッシャおよび前記弾性体は、
前記弾性体が前記防振装置の軸方向に沿って窪む凹形状を有し、且つ、前記ワッシャが前記弾性体の凹形状に嵌り込む凹形状を有する構成、
または、
前記弾性体が前記防振装置の軸方向に沿って突出する凸形状を有し、且つ、前記ワッシャが前記弾性体の凸形状が嵌り込む凸形状を有する構成、
である洗濯機。
【請求項２】
前記防振装置の端部が固定される支持部をさらに備え、
前記支持部は、前記弾性体が前記防振装置の軸方向に沿って窪む凹形状を有する場合には前記弾性体の凹形状に嵌り込む凹形状を有し、前記弾性体が前記防振装置の軸方向に沿って突出する凸形状を有する場合には前記弾性体の凸形状が嵌り込む凸形状を有する構成である請求項１に記載の洗濯機。
【請求項３】
前記固定部は、前記防振装置の軸心線に沿う請求項１または２に記載の洗濯機。
【請求項４】
前記ワッシャおよび前記弾性体は、前記防振装置の軸方向に対し傾斜する傾斜面を有する請求項１から３の何れか１項に記載の洗濯機。
【発明の詳細な説明】
【技術分野】
【０００１】
本発明の実施形態は、洗濯機に関する。
【背景技術】
【０００２】
近年、洗濯機においては、その外郭を構成する筐体のコンパクト化と、水槽の大容量化が進められている。ここで、筐体のコンパクト化と水槽の大容量化を同時に進めると、筐体内面と水槽外面との間のギャップが少なくなり、水槽に振動が発生する場合に、その水槽が筐体に接触しやすくなる。特に、水槽の大容量化に伴い、槽内に収容される洗濯物の量も多くなるため、例えば脱水行程時に洗濯物のアンバランスが生じると、水槽に発生する振動も大きくなり、水槽が筐体に一層接触しやすくなる。そのため、例えば特許文献１に開示されているような水槽の振動を吸収する防振装置について、その防振性能の向上が求められている。
【先行技術文献】
【特許文献】
【０００３】
【特許文献１】特開２００５−２４５５７７号公報
【発明の概要】
【発明が解決しようとする課題】
【０００４】
本実施形態は、水槽の振動を吸収する防振装置の防振性能の向上を図った洗濯機を提供する。
【課題を解決するための手段】
【０００５】
本実施形態に係る洗濯機は、筐体、水槽、防振装置、固定部を備える。水槽は、前記筐体内に設けられている。防振装置は、前記水槽の振動を吸収する。固定部は、ワッシャおよび弾性体を有し、前記防振装置の端部を前記水槽または前記筐体に固定する。そして、前記ワッシャおよび前記弾性体は、前記弾性体が前記防振装置の軸方向に沿って窪む凹形状を有し、且つ、前記ワッシャが前記弾性体の凹形状に嵌り込む凹形状を有する構成、または、前記弾性体が前記防振装置の軸方向に沿って突出する凸形状を有し、且つ、前記ワッシャが前記弾性体の凸形状が嵌り込む凸形状を有する構成、である。
【図面の簡単な説明】
【０００６】
【図１】本実施形態に係る洗濯機の構成例を概略的に示す縦断側面図
【図２】防振装置の要部の構成例を断面により概略的に示す図
【図３】本実施形態の変形例に係る固定部の構成例を概略的に示す図（その１）
【図４】本実施形態の変形例に係る固定部の構成例を概略的に示す図（その２）
【発明を実施するための形態】
【０００７】
以下、洗濯機に係る一実施形態について図面を参照しながら説明する。図１に例示する洗濯機１０は、回転槽の回転軸が横方向または傾斜する、いわゆるドラム式の洗濯機であり、その外郭を構成する筐体１１の前面の中央部に、洗濯物を出し入れするための洗濯物出入口１２を備えている。洗濯物出入口１２は、円形に開口しており、同じく円形の扉１３により開閉される。筐体１１の内部には、水が溜められる有底円筒状の水槽１４が設けられている。
【０００８】
水槽１４は、当該水槽１４の底部の左右に設けられた一対の防振装置１００により弾性的に支持されている。防振装置１００は、水槽１４に発生する振動を吸収し、当該水槽１４が筐体１１に衝突することを回避する。水槽１４の前面の中央部には、円形状に開口する開口部１５が設けられている。水槽１４の開口部１５は、ベローズ１６を介して筐体１１の洗濯物出入口１２に水密に接続されている。
【０００９】
水槽１４の内部には、回転槽の一例であるドラム１７が回転可能に設けられている。ドラム１７の回転軸は、洗濯機１０の前後方向、つまり、奥行方向に沿って、後面側が前面側よりも低くなるように傾斜している。ドラム１７は、水槽１４の後面に設けられた駆動モータ１８により回転される。ドラム１７は、洗い行程およびすすぎ行程における洗濯槽、および、脱水行程における脱水槽として兼用される。
【００１０】
また、洗濯機１０は、図示しない給水機構部を備えている。給水機構部は、水槽１４に接続する給水経路の途中に給水弁、給水ケースなどを備えている。給水機構部は、ドラム１７内の洗濯物を洗う洗い行程および洗濯物をすすぐすすぎ行程において、洗濯機１０の外部の水源から水槽１４内に水を供給する。また、洗濯機１０は、図示しない排水機構部を備えている。排水機構部は、水槽１４の底部から機外に延びる排水経路の途中に排水弁などを備えている。排水機構部は、排水行程において水槽１４内の水を機外に排出する。
【００１１】
次に、防振装置１００の構成例について説明する。即ち、図２に例示するように、防振装置１００の本体部１０１は、シリンダ１０２およびシャフト１０３を備えている。シリンダ１０２は、例えば磁性材で構成されており、一端部が閉塞部材１０４により閉塞されている。閉塞部材１０４には、外方に延びる円柱状のロッド部１０５が設けられている。ロッド部１０５の先端部、この場合、上端部には、雄ねじ部１０５ａが設けられている。また、雄ねじ部１０５ａの径寸法は、ロッド部１０５全体の径寸法よりも若干短くなっており、これにより、ロッド部１０５の先端部、この場合、雄ねじ部１０５ａの基端部には、段部１０５ｂが形成されている。
【００１２】
シリンダ１０２の他端側、つまり閉塞部材１０４とは反対側の内部には、減衰部１０６が設けられている。シリンダ１０２の内部において、減衰部１０６には、シャフト１０３が軸方向、この場合、上下方向に沿って往復移動可能に挿通されている。シャフト１０３は、磁性材で構成されており、その先端部には、ばね受け１０７が固定されている。また、シリンダ１０２の他端部には、ばね受け１０８が取り付けられている。そして、シャフト１０３のばね受け１０７とシリンダ１０２のばね受け１０８との間には、ダンパスプリング１０９が介在されている。また、シャフト１０３の先端部、この場合、下端部には、雄ねじ部１０３ａが設けられている。また、雄ねじ部１０３ａの径寸法は、シャフト１０３全体の径寸法よりも若干短くなっており、これにより、シャフト１０３の先端部、この場合、雄ねじ部１０３ａの基端部には、段部１０３ｂが形成されている。
【００１３】
詳しい図示は省略するが、減衰部１０６は、この場合、シャフト１０３に付与する摩擦抵抗を調整可能な構成となっており、ヨーク、コイル、磁気粘性流体、軸受、シール部材などを備えている。ヨークは、例えば磁性材で構成されており、シリンダ１０２の軸方向に沿って相互に対向するように配置されている。軸受は、シリンダ１０２の軸方向に沿って相互に対向するように配置されており、シャフト１０３を往復移動可能に支持している。コイルは、１対のヨークの間に配置されており、図示しない配線を介して電源が供給されるようになっている。磁気粘性流体は、シャフト１０３と一方のヨークとの間、シャフト１０３とコイルとの間、シャフト１０３と他方のヨークとの間に形成される空間に充填されている。シール部材は、減衰部１０６からの磁気粘性流体の流出を防止する。
【００１４】
磁気粘性流体は、シャフト１０３の往復移動に対し摩擦抵抗を付与するものである。コイルが通電されて電気的にオン状態にされると、シャフト１０３、磁気粘性流体、一方のヨーク、シリンダ１０２、他方のヨーク、磁気粘性流体、シャフト１０３を経由する磁気回路が形成される。そして、このような磁気回路が形成されることにより、磁気粘性流体のうち磁束が通過する部分、特に、シャフト１０３と一方のヨークとの間およびシャフト１０３と他方のヨークとの間において磁気粘性流体の粘性が高まる。これにより、シャフト１０３に作用する摩擦抵抗が増加する。
【００１５】
防振装置１００は、コイルが電気的にオフ状態である場合には、主としてダンパスプリング１０９が発生する減衰力により、水槽１４の振動を吸収する。また、防振装置１００は、コイルが電気的にオン状態である場合には、ダンパスプリング１０９が発生する減衰力に加え、さらに、粘性が増加した磁気粘性流体が発生する減衰力により、水槽１４の振動を吸収する。
【００１６】
防振装置１００は、閉塞部材１０４を備える一端部、この場合、上端部が水槽側固定部２００により水槽１４に固定され、ダンパスプリング１０９を備える他端部、この場合、下端部が筐体側固定部３００により筐体１１に固定される。次に、これら水槽側固定部２００および筐体側固定部３００の構成例について説明する。
【００１７】
水槽側固定部２００は、上ワッシャ２１０、上クッション２２０、下クッション２３０、下ワッシャ２４０を備えている。上ワッシャ２１０および下ワッシャ２４０は、非弾性体である例えば金属材により構成されている。一方、上クッション２２０および下クッション２３０は、弾性体である例えばゴム材により構成されている。
【００１８】
上ワッシャ２１０は、ワッシャ本体部２１１および枠部２１２を有する。ワッシャ本体部２１１は、防振装置１００の軸方向に直交するほぼ円板状をなしており、その中央部に凹部２１３を有している。凹部２１３は、この場合、防振装置１００の軸方向に沿って下方、つまり、防振装置１００の本体部１０１側に窪む凹形状となっており、後述する上クッション２２０の凹部２２３に上方から嵌り込む、凹部２１３は、防振装置１００の本体部１０１側に突出する凸形状として定義することもできる。また、凹部２１３の中央部には、当該凹部２１３を軸方向に貫通する円形の貫通孔２１４が設けられている。貫通孔２１４の径寸法は、ロッド部１０５の雄ねじ部１０５ａの径寸法とほぼ同じ寸法となっている。
【００１９】
また、凹部２１３は、当該凹部２１３の外端部側から中央部に向かって下降するように傾斜する傾斜面２１５を有している。傾斜面２１５は、防振装置１００の軸方向に対し傾斜した面部となっている。即ち、凹部２１３は、上ワッシャ２１０の中央部において、下方に向かってテーパ状に窪む凹形状となっている。枠部２１２は、ワッシャ本体部２１１の外端部から、防振装置１００の軸方向に沿って下方、つまり、防振装置１００の本体部１０１側に向かって延出している。
【００２０】
一方、下ワッシャ２４０は、ワッシャ本体部２４１および枠部２４２を有する。ワッシャ本体部２４１は、防振装置１００の軸方向に直交するほぼ円板状をなしており、その全体がフラットな形状となっている。また、ワッシャ本体部２４１の中央部には、当該ワッシャ本体部２４１を軸方向に貫通する円形の貫通孔２４４が設けられている。貫通孔２４４の径寸法は、雄ねじ部１０５ａを除くロッド部１０５の径寸法とほぼ同じ寸法となっている。枠部２４２は、ワッシャ本体部２４１の外端部から、防振装置１００の軸方向に沿って上方、つまり、防振装置１００の本体部１０１とは反対側に向かって延出している。
【００２１】
上クッション２２０は、全体としてほぼ円柱状をなしており、その中央部に、当該上クッション２２０を軸方向に貫通する円形の貫通孔２２４を有している。また、上クッション２２０の上面の中央部には、凹部２２３が設けられている。凹部２２３は、この場合、防振装置１００の軸方向に沿って下方、つまり、防振装置１００の本体部１０１側に窪む凹形状となっている。なお、凹部２２３は、防振装置１００の本体部１０１側に突出する凸形状として定義することもできる。
【００２２】
また、凹部２２３は、当該凹部２１３の外端部側から中央部に向かって下降するように傾斜する傾斜面２２５を有している。傾斜面２２５は、防振装置１００の軸方向に対し傾斜した面部となっている。凹部２２３は、上ワッシャ２１０の凹部２１３に対応する凹形状となっている。また、上クッション２２０の下面の中央部には、凹部２２６が設けられている。凹部２２６は、この場合、防振装置１００の軸方向に沿って上方、つまり、防振装置１００の本体部１０１とは反対側に窪む凹形状となっている。凹部２２６の外端部は、防振装置１００の軸方向に沿う壁部を形成している。即ち、凹部２２６は、上クッション２２０の下面において、円柱状に窪む、傾斜面を有しない凹形状となっている。
【００２３】
一方、下クッション２３０は、全体としてほぼ円柱状をなしており、その中央部に、当該下クッション２３０を軸方向に貫通する円形の貫通孔２３４を有している。下クッション２３０の上面の中央部には、凸部２３６が設けられている。凸部２３６は、この場合、防振装置１００の軸方向に沿って上方、つまり、防振装置１００の本体部１０１とは反対側に突出する凸形状となっている。凸部２３６の外端部は、防振装置１００の軸方向に沿う壁部を形成している。即ち、凸部２３６は、下クッション２３０の上面において、円柱状に突出する、傾斜面を有しない凸形状となっている。また、下クッション２３０の下面は、凹部あるいは凸部を有しないフラットな形状となっている。
【００２４】
水槽１４の周側面には、水槽側支持部１４ａが設けられている。水槽側支持部１４ａは、非弾性体である例えば金属材により構成される板状の部材である。この場合、水槽側支持部１４ａは、上方に向かって突出するように曲げ形成されており、その中央部に、当該水槽側支持部１４ａを貫通する円形の貫通孔１４ｂを有している。
【００２５】
水槽側固定部２００は、水槽１４の水槽側支持部１４ａを上クッション２２０の下面と下クッション２３０の上面との間に挟み、さらに、このように水槽側支持部１４ａを挟む上クッション２２０および下クッション２３０を、上ワッシャ２１０の下面と下ワッシャ２４０の上面との間に挟み、さらにロッド部１０５の雄ねじ部１０５ａをねじ１０５ｃにより締め付けることにより、防振装置１００の一端部、この場合、上端部を水槽１４の周側面に固定する。
【００２６】
このとき、下クッション２３０の凸部２３６は、水槽側支持部１４ａの貫通孔１４ｂに挿通された状態となっている。また、水槽側支持部１４ａの貫通孔１４ｂに挿通された下クッション２３０の凸部２３６は、上クッション２２０の凹部２２６内に収められた状態となっている。また、上クッション２２０の上部は、上ワッシャ２１０の枠部２１２内に下方から嵌め込まれた状態となっている。また、下クッション２３０の下部は、下ワッシャ２４０の枠部２４２内に上方から嵌め込まれた状態となっている。
【００２７】
また、上ワッシャ２１０の凹部２１３は、上クッション２２０の凹部２２３に嵌り込んだ状態となっており、上クッション２２０の傾斜面２２５に上ワッシャ２１０の傾斜面２１５が密着した状態となっている。また、上ワッシャ２１０の下面と上クッション２２０の上面とは密着した状態となっているが、上ワッシャ２１０の下面とロッド部１０５の段部１０５ｂとの間には、僅かな隙間が確保された状態となっている。これにより、仮にねじ１０５ｃを締め付け過ぎたとしても、ねじ１０５ｃのねじ込みを段部１０５ｂにより規制することができ、上クッション２２０および下クッション２３０が過剰に押し潰されてしまうことを回避することができる。
【００２８】
また、水槽側固定部２００は、防振装置１００の軸心線に沿って構成されており、即ち、その構成要素である上ワッシャ２１０、上クッション２２０、下クッション２３０、下ワッシャ２４０を防振装置１００の中心軸に沿って配列した構成となっている。
【００２９】
次に、筐体側固定部３００は、上ワッシャ３１０、上クッション３２０、下クッション３３０、下ワッシャ３４０を備えている。上ワッシャ３１０および下ワッシャ３４０は、非弾性体である例えば金属材により構成されている。一方、上クッション３２０および下クッション３３０は、弾性体である例えばゴム材により構成されている。
【００３０】
上ワッシャ３１０は、ワッシャ本体部３１１および枠部３１２を有する。ワッシャ本体部３１１は、防振装置１００の軸方向に直交するほぼ円板状をなしており、その全体がフラットな形状となっている。また、ワッシャ本体部３１１の中央部には、当該ワッシャ本体部３１１を軸方向に貫通する円形の貫通孔３１４が設けられている。貫通孔３１４の径寸法は、雄ねじ部１０３ａを除くシャフト１０３の径寸法とほぼ同じ寸法となっている。枠部３１２は、ワッシャ本体部３１１の外端部から、防振装置１００の軸方向に沿って下方、つまり、防振装置１００の本体部１０１とは反対側に向かって延出している。
【００３１】
一方、下ワッシャ３４０は、ワッシャ本体部３４１および枠部３４２を有する。ワッシャ本体部３４１は、防振装置１００の軸方向に直交するほぼ円板状をなしており、その全体がフラットな形状となっている。また、ワッシャ本体部３４１の中央部には、当該ワッシャ本体部３４１を軸方向に貫通する円形の貫通孔３４４が設けられている。貫通孔３４４の径寸法は、シャフト１０３の雄ねじ部１０３ａの径寸法とほぼ同じ寸法となっている。枠部３４２は、ワッシャ本体部３４１の外端部から、防振装置１００の軸方向に沿って上方、つまり、防振装置１００の本体部１０１側に向かって延出している。
【００３２】
上クッション３２０は、全体としてほぼ円柱状をなしており、その中央部に、当該上クッション３２０を軸方向に貫通する円形の貫通孔３２４を有している。上クッション３２０の上面は、凹部あるいは凸部を有しないフラットな形状となっている。また、上クッション３２０の下面の中央部には、凸部３２６が設けられている。凸部３２６は、この場合、防振装置１００の軸方向に沿って下方、つまり、防振装置１００の本体部１０１とは反対側に突出する凸形状となっている。凸部３２６の外端部は、防振装置１００の軸方向に沿う壁部を形成している。即ち、凸部３２６は、上クッション３２０の下面において、円柱状に突出する、傾斜面を有しない凸形状となっている。
【００３３】
一方、下クッション３３０は、全体としてほぼ円柱状をなしており、その中央部に、当該下クッション３３０を軸方向に貫通する円形の貫通孔３３４を有している。下クッション３３０の上面の中央部には、凹部３３６が設けられている。凹部３３６は、この場合、防振装置１００の軸方向に沿って下方、つまり、防振装置１００の本体部１０１とは反対側に窪む凹形状となっている。凹部３３６の外端部は、防振装置１００の軸方向に沿う壁部を形成している。即ち、凹部３３６は、下クッション３３０の上面において、円柱状に窪む、傾斜面を有しない凹形状となっている。また、下クッション３３０の下面の中央部には、凹部３３７が設けられている。凹部３３７は、この場合、防振装置１００の軸方向に沿って上方、つまり、防振装置１００の本体部１０１側に窪む凹形状となっている。凹部３３７の外端部は、防振装置１００の軸方向に沿う壁部を形成している。即ち、凹部３３７は、下クッション３３０の下面において、円柱状に窪む、傾斜面を有しない凹形状となっている。
【００３４】
筐体１１の底部を構成する台板上には、筐体側支持部１１ａが設けられている。筐体側支持部１１ａは、非弾性体である例えば金属材により構成される板状の部材である。この場合、筐体側支持部１１ａは、上方に向かって突出するように曲げ形成されており、その中央部に、当該筐体側支持部１１ａを貫通する円形の貫通孔１１ｂを有している。
【００３５】
筐体側固定部３００は、筐体１１の筐体側支持部１１ａを上クッション３２０の下面と下クッション３３０の上面との間に挟み、さらに、このように筐体側支持部１１ａを挟む上クッション３２０および下クッション３３０を、上ワッシャ３１０の下面と下ワッシャ３４０の上面との間に挟み、さらにシャフト１０３の雄ねじ部１０３ａをねじ１０３ｃにより締め付けることにより、防振装置１００の他端部、この場合、下端部を筐体１１の台板上に固定する。
【００３６】
このとき、上クッション３２０の凸部３２６は、筐体側支持部１１ａの貫通孔１１ｂに挿通された状態となっている。また、筐体側支持部１１ａの貫通孔１１ｂに挿通された上クッション３２０の凸部３２６は、下クッション３３０の凹部３３６内に収められた状態となっている。また、上クッション３２０の上部は、上ワッシャ３１０の枠部３１２内に下方から嵌め込まれた状態となっている。また、下クッション３３０の下部は、下ワッシャ３４０の枠部３４２内に上方から嵌め込まれた状態となっている。
【００３７】
また、上ワッシャ３１０の下面は、上クッション２２０の上面に密着した状態となっている。また、下クッション３３０の下面と下ワッシャ３４０の上面とは、下クッション３３０の凹部３３７に対応する部分を除き、密着した状態となっている。また、下ワッシャ３４０の下面に対向するシャフト１０３の段部１０３ｂ部分には、下クッション３３０の凹部３３７よりも若干上方に窪む隙間が確保された状態となっている。これにより、仮にねじ１０３ｃを締め付け過ぎたとしても、ねじ１０３ｃのねじ込みを段部１０３ｂにより規制することができ、上クッション３２０および下クッション３３０が過剰に押し潰されてしまうことを回避することができる。
【００３８】
また、筐体側固定部３００は、防振装置１００の軸心線に沿って構成されており、即ち、その構成要素である上ワッシャ３１０、上クッション３２０、下クッション３３０、下ワッシャ３４０を防振装置１００の中心軸に沿って配列した構成となっている。
【００３９】
本実施形態に係る洗濯機１０によれば、水槽側固定部２００において、上ワッシャ２１０は、防振装置１００の軸方向に沿って軸方向内側に窪む凹形状を有し、これに対応して、上クッション２２０も、防振装置１００の軸方向に沿って軸方向内側に窪む凹形状を有する。そして、上ワッシャ２１０の凹形状部分は、上クッション２２０の凹形状部分に上方から嵌り込む。この構成によれば、上ワッシャ２１０と上クッション２２０との接触面積が増加するため、水槽１４の振動吸収に伴い水槽側固定部２００に作用する荷重を、上クッション２２０の広範囲にわたって均等に分散させることができる。これにより、水槽１４の振動を吸収する防振装置１００の防振性能の向上を図ることができ、水槽１４が筐体１１に接触してしまうことを回避することができる。
【００４０】
また、洗濯機１０によれば、水槽側固定部２００は、防振装置１００の軸心線に沿って設けられている。この構成によれば、水槽側固定部２００における振動吸収作用を、防振装置１００の軸方向に沿って、低損失で効果的に発揮させることができる。また、洗濯機１０によれば、筐体側固定部３００は、防振装置１００の軸心線に沿って設けられている。この構成によれば、筐体側固定部３００における振動吸収作用を、防振装置１００の軸方向に沿って、低損失で効果的に発揮させることができる。
【００４１】
また、洗濯機１０によれば、上ワッシャ２１０は、防振装置１００の軸方向に対し傾斜する傾斜面２１５を有し、これに対応して、上クッション２２０も、防振装置１００の軸方向に対し傾斜する傾斜面２２５を有する。この構成によれば、上ワッシャ２１０と上クッション２２０との接触面積を増加させることができ、防振装置１００の防振性能の一層の向上を図ることができる。また、水槽１４の振動吸収に伴い水槽側固定部２００に作用する特に横方向の荷重を、上クッション２２０の広範囲にわたって均等に分散させることができ、防振装置１００の防振性能の一層の向上を図ることができる。
【００４２】
なお、本実施形態は、上述した一実施形態に限られるものではなく、例えば、次のように変形または拡張することができる。
図３に例示するように、例えば、下クッション２３０の下面に、防振装置１００の軸方向に沿って軸方向内側に突出する凸部２３８を設け、これに対応して、下ワッシャ２４０の中央部に、防振装置１００の軸方向に沿って軸方向内側に突出する凸部２４８を設ける構成としてもよい。この構成において、下ワッシャ２４０の凸形状部分には、下クッション２３０の凸形状部分が上方から嵌り込む。この構成によっても、下クッション２３０と下ワッシャ２４０との接触面積を増加させることができ、防振装置１００の防振性能の向上を図ることができる。また、この場合も、下クッション２３０および下ワッシャ２４０に、防振装置１００の軸方向に対し傾斜する傾斜面を設けることにより、防振装置１００の防振性能の一層の向上を図ることができる。
【００４３】
また、図４に例示するように、例えば、水槽側支持部１４ａの中央部、つまり、貫通孔１４ｂの周辺部分を、防振装置１００の軸方向に沿って軸方向外側に突出する凸形状に形成し、これに対応して、上クッション２２０の下面に防振装置１００の軸方向に沿って軸方向外側に窪む凹形状を形成し、また、下クッション２３０の上面に防振装置１００の軸方向に沿って軸方向外側に突出する凸形状を形成する構成としてもよい。この構成において、水槽側支持部１４ａの凸形状部分は、上クッション２２０の下面の凹形状部分に下方から嵌り込み、また、この水槽側支持部１４ａの凸形状部分には、下クッション２３０の上面の凸形状部分が下方から嵌り込む。
【００４４】
また、図示はしないが、水槽側支持部１４ａの中央部、つまり、貫通孔１４ｂの周辺部分を、防振装置１００の軸方向に沿って軸方向内側に窪む凹形状に形成し、これに対応して、上クッション２２０の下面に防振装置１００の軸方向に沿って軸方向内側に突出する凸形状を形成し、また、下クッション２３０の上面に防振装置１００の軸方向に沿って軸方向内側に窪む凹形状を形成する構成としてもよい。この構成において、水槽側支持部１４ａの凹形状部分には、上クッション２２０の下面の凸形状部分が上方から嵌り込み、また、この水槽側支持部１４ａの凹形状部分は、下クッション２３０の上面の凹形状部分に上方から嵌り込む。
【００４５】
このような構成によれば、さらに、上クッション２２０と水槽側支持部１４ａとの接触面積、および、下クッション２３０と水槽側支持部１４ａとの接触面積を増加させて、水槽１４の振動を上クッション２２０および下クッション２３０に効率良く伝達して吸収することができ、防振装置１００の防振性能の一層の向上を図ることができる。
【００４６】
また、水槽側固定部２００を構成する上ワッシャ２１０、上クッション２２０、下クッション２３０、下ワッシャ２４０は、適宜、凹形状あるいは凸形状で構成することができ、その組み合わせは適宜変更して実施することができる。また、筐体側固定部３００を構成する上ワッシャ３１０、上クッション３２０、下クッション３３０、下ワッシャ３４０も、適宜、凹形状あるいは凸形状で構成することができ、その組み合わせは適宜変更して実施することができる。
【００４７】
ここで、固定部において例えば上側に配置されるワッシャを凹形状とした構成では、例えば、固定部の組立時において、各部品の位置決めを容易に行うことができ、また、ワッシャとクッションとの接触面積を増加させることができる。また、ワッシャを凹形状とすることに対応してクッションに凹形状を設けることにより、クッションを構成するゴム材の使用量を抑えることができ、コストの削減や軽量化を図ることができる。
【００４８】
また、固定部において例えば上側に配置されるワッシャを凸形状とした構成では、例えば、固定部の組立時において、各部品の位置決めを容易に行うことができ、また、ワッシャとクッションとの接触面積を増加させることができる。また、ワッシャを凸形状とすることに対応してクッションに凸形状を設けることにより、クッションの体積が増加して剛性が高まるため、より大きな振動吸収効果を発揮することができる。
【００４９】
また、固定部において例えば下側に配置されるワッシャをフラットな形状とした構成では、ワッシャの成形が容易であり、製造性の向上を図ることができる。
また、固定部において例えば上側に配置されるワッシャの凹凸形状と下側に配置されるワッシャの凹凸形状とを逆にすることにより、つまり、例えば、上側のワッシャを凹形状、下側のワッシャを凸形状とすることにより、両ワッシャの上下の識別、つまり、上側に配置するワッシャなのか下側に配置するワッシャなのかの識別を容易に行うことができ、製造性の向上を図ることができる。
【００５０】
また、水槽側固定部２００の構成例は、筐体側固定部３００にも適用することができ、筐体側固定部３００の構成例は、水槽側固定部２００にも適用することができる。また、本実施形態は、回転槽の回転軸が縦方向に延びる、いわゆる縦軸型の洗濯機にも適用することができる。
【００５１】
本実施形態に係る洗濯機によれば、防振装置の端部を水槽または筐体に固定する固定部において、ワッシャおよび弾性体を、前記弾性体が前記防振装置の軸方向に沿って窪む凹形状を有し、且つ、前記ワッシャが前記弾性体の凹形状に嵌り込む凹形状を有する構成、または、前記弾性体が前記防振装置の軸方向に沿って突出する凸形状を有し、且つ、前記ワッシャが前記弾性体の凸形状が嵌り込む凸形状を有する構成とすることにより、ワッシャと弾性体との接触面積を増加させることができる。これにより、水槽の振動吸収に伴い固定部に作用する荷重をクッションに効果的に伝達して吸収することができるため、防振装置の防振性能の向上を図ることができる。
【００５２】
なお、本実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００５３】
図面中、１０は洗濯機、１１は筐体、１１ａは筐体側支持部（支持部）、１４は水槽、１４ａは水槽側支持部（支持部）、１００は防振装置、２００は水槽側固定部（固定部）、３００は筐体側固定部（固定部）、２１０，３１０は上ワッシャ（ワッシャ）、２４０，３４０は下ワッシャ（ワッシャ）、２２０，３２０は上クッション（弾性体）、２３０，３３０は下クッション（弾性体）、２１５，２２５は傾斜面を示す。
【図１】
2018143569.tif 000003
【図２】
2018143569.tif 000004
【図３】
2018143569.tif 000005
【図４】
2018143569.tif 000006